(57)【要約】【課題】建物内の空気をスムーズに屋外に排出し得る換気装置を提供する。【解決手段】建物の屋根５０に取り付けるためのベース部５と、ベース部５内に設けられたファン取付け板１４に取り付けられたファン６，６と、ベース部５の上方に設けられたフード部７とを備え、建物内の空気をベース部５とフード部７との間の隙間Ｇ１，Ｇ１から屋外に排出可能に構成された換気装置１であって、ファン取付け板１４は、ファン６，６の取付け面１４ａ，１４ａがフード部７における天板２１の内面に対して傾いた状態でベース部５に設けられ、ファン６，６は、天板２１の内面に対して斜めの向きで空気を吹き付けて内面に沿わせて移動させて隙間Ｇ１，Ｇ１から排出可能にファン取付け板１４の取付け面１４ａ，１４ａに取り付けられている。【選択図】図５
2008224054.tif 000002
【特許請求の範囲】
【請求項１】
建物の屋根に取り付けるためのベース部と、当該ベース部内に設けられたファン取付け板に取り付けられたファンと、前記ベース部の上方に設けられたフード部とを備え、前記建物内の空気を前記ベース部と前記フード部との間の隙間から屋外に排出可能に構成された換気装置であって、
前記ファン取付け板は、前記ファンの取付け面が前記フード部における天板の内面に対して傾いた状態で前記ベース部に設けられ、
前記ファンは、前記天板の前記内面に対して斜めの向きで前記空気を吹き付けて当該内面に沿わせて移動させて前記隙間から排出可能に前記ファン取付け板の前記取付け面に取り付けられている換気装置。
【請求項２】
前記ファンを２つ備え、
前記ファン取付け板は、その長尺方向の中央部が上向きに突出するようにして２つの傾斜面によって側面視く字状に形成され、
前記取付け面は、前記２つの傾斜面によって２面形成され、
前記各ファンは、前記各傾斜面にそれぞれ１つずつ取り付けられている請求項１記載の換気装置。
【請求項３】
太陽光発電部と、商用交流を直流変換する変換部と、前記太陽光発電部から出力された第１の直流電圧および前記変換部から出力された第２の直流電圧のいずれかを予め規定された条件に従って前記ファンに供給して当該ファンを作動させる制御部とを備えている請求項１または２記載の換気装置。
【請求項４】
前記フード部には、前記太陽光発電部が取り付けられると共に、棒部材が当該太陽光発電部の取り付け部位の近傍に立設されている請求項３記載の換気装置。
【発明の詳細な説明】
【技術分野】
【０００１】
本発明は、建物の屋根に取り付けられて建物内の空気を屋外に排出可能に構成された強制換気型の換気装置に関するものである。
【背景技術】
【０００２】
この種の換気装置として、太陽電池等から供給される電源によって換気ファン（電動のファン）を駆動させて建物内の空気を屋外に排出する強制換気型の換気装置が特開平７−１２００３２号公報に開示されている。この換気装置は、換気ファンを有するファン部と、ファン部の上方に取り付けられたフード部とを備えている。また、上記のファン部は、４本の支持部材によって屋根面に対して水平に支持された平板状の水平水切り部における中央部にファンが上向きに（真上に向けて空気を吹き上げ可能に）取り付けられて構成されている。さらに、上記のフード部は、平板状の天板の四辺に水切り垂下部が形成されて無底箱状に形成されると共に、水平水切り部に対して所定幅の隙間（排気口部）が形成されるようにファン部の上方に取り付けられている。
【０００３】
この換気装置では、ファンの動作に伴って室内の空気が吸引されてファン部から真上に吹き上げられる。この際には、吹き上げられた空気がフード部におけるの天板の内面に当たって天板に沿って水平方向に移動する。また、水平方向に移動した空気は、水切り垂下部の内面に当たって水切り垂下部と水平水切り部との間の隙間（排気口部）から排出される。これにより、建物内の空気が屋外に排出される。
【特許文献１】特開平７−１２００３２号公報（第３−４頁、第１−５図）
【発明の開示】
【発明が解決しようとする課題】
【０００４】
ところが、従来の換気装置には、以下の問題点がある。すなわち、従来の換気装置では、建物内の空気をファンによって真上に吹き上げることで、水切り垂下部と水平水切り部との間の隙間から屋外に排出する構成が採用されている。したがって、従来の換気装置では、前述したように、ファンによって真上に吹き上げられた空気がフード部における天板の内面に対して垂直方向で当たって水切り垂下部に向けて案内されることとなる。このため、換気装置内において空気の進行方向が大きく変化させられることに起因して、従来の換気装置には、空気の流動抵抗が非常に大きくなっているという問題点がある。また、天板の内面に垂直方向で空気が当たることに起因して、フード部の内側（天板の内面近傍）において乱流が発生し、この乱流の発生に起因して空気の流動抵抗がさらに大きくなっているという問題点もある。
【０００５】
本発明は、かかる問題点に鑑みてなされたものであり、建物内の空気をスムーズに屋外に排出し得る換気装置を提供することを主目的とする。
【課題を解決するための手段】
【０００６】
上記目的を達成すべく請求項１記載の換気装置は、建物の屋根に取り付けるためのベース部と、当該ベース部内に設けられたファン取付け板に取り付けられたファンと、前記ベース部の上方に設けられたフード部とを備え、前記建物内の空気を前記ベース部と前記フード部との間の隙間から屋外に排出可能に構成された換気装置であって、前記ファン取付け板は、前記ファンの取付け面が前記フード部における天板の内面に対して傾いた状態で前記ベース部に設けられ、前記ファンは、前記天板の前記内面に対して斜めの向きで前記空気を吹き付けて当該内面に沿わせて移動させて前記隙間から排出可能に前記ファン取付け板の前記取付け面に取り付けられている。
【０００７】
また、請求項２記載の換気装置は、請求項１記載の換気装置において、前記ファンを２つ備え、前記ファン取付け板が、その長尺方向の中央部が上向きに突出するようにして２つの傾斜面によって側面視く字状に形成され、前記取付け面が、前記２つの傾斜面によって２面形成され、前記各ファンが、前記各傾斜面にそれぞれ１つずつ取り付けられている。
【０００８】
さらに、請求項３記載の換気装置は、請求項１または２記載の換気装置において、太陽光発電部と、商用交流を直流変換する変換部と、前記太陽光発電部から出力された第１の直流電圧および前記変換部から出力された第２の直流電圧のいずれかを予め規定された条件に従って前記ファンに供給して当該ファンを作動させる制御部とを備えている。
【０００９】
また、請求項４記載の換気装置は、請求項３記載の換気装置において、前記フード部には、前記太陽光発電部が取り付けられると共に、棒部材が当該太陽光発電部の取り付け部位の近傍に立設されている。
【発明の効果】
【００１０】
請求項１記載の換気装置では、ファンの取付け面がフード部における天板の内面に対して傾いた状態でファン取付け板がベース部に設けられ、天板の内面に対して斜めの向きで空気を吹き付けて内面に沿わせて移動させて隙間から排出可能にファンがファン取付け板の取付け面に取り付けられている。したがって、この換気装置によれば、天板の内面に対して吹き付けられた空気が天板に沿ってスムーズに移動する結果、空気の流動抵抗が十分に小さくなることに起因して、換気装置内において空気をベース部とフード部との間の隙間からスムーズに移動させて排出することができる結果、その換気能力を十分に向上させることができる。
【００１１】
また、請求項２記載の換気装置では、その長尺方向の中央部が上向きに突出するようにして２つの傾斜面によって側面視く字状にファン取付け板が形成され、２つの傾斜面によって取付け面が２面形成され、各ファンが各傾斜面にそれぞれ１つずつ取り付けられている。したがって、この換気装置によれば、両ファンによって吹き付けられる空気が干渉し合って乱流が生じる事態を回避することができるため、空気の流動抵抗が一層小さくなることに起因して、その換気能力を一層向上させることができる。
【００１２】
さらに、請求項３記載の換気装置では、制御部が、太陽光発電部から出力された第１の直流電圧および変換部から出力された第２の直流電圧のいずれかを予め規定された条件に従ってファンに供給してファンを作動させる。したがって、この換気装置によれば、例えば晴天時における日中においては、商用交流を消費することなく、ファンを作動させることができるため、換気装置のランニングコストを十分に低減することができる。また、夜間、および雨天時や曇天時における日中などにおいては、変換部によって商用交流を第２の直流電圧に変換してファンに供給することで、太陽光発電部から出力される第１の直流電圧が所定の電圧値に満たない状態においても換気装置を確実に作動させて換気することができる。
【００１３】
また、請求項４記載の換気装置では、フード部に太陽光発電部が取り付けられると共に、棒部材がフード部における太陽光発電部の取り付け部位の近傍に立設されている。したがって、この換気装置によれば、飛来した鳥が換気装置の上（太陽光発電部の近傍）に留まる事態を阻止することができるため、鳥の糞によって太陽光発電部が汚されてその発電能力が低下する事態を回避することができる。
【発明を実施するための最良の形態】
【００１４】
以下、添付図面を参照して、本発明に係る換気装置の最良の形態について説明する。
【００１５】
図１に示す換気装置１は、建物の屋根５０における頂部に取り付けられて屋根５０に形成された通気孔５１（図３，５，６参照）を介して建物内の空気を吸引して屋外に排出する強制換気型の換気装置であって、図２に示すように、本体部２、ＡＣ／ＤＣコンバータ３および操作部４を備えている。また、図３に示すように、本体部２は、ベース部５、ファン６，６、フード部７、太陽電池パネル８および制御部９を備えている。ベース部５は、本体部２を屋根５０に取り付けるための部材であって、一例として、ステンレススチール等の金属板で形成されている。また、ベース部５は、４枚の側板１２によって全体として角筒状に形成されている。
【００１６】
また、図３，４に示すように、各側板１２の下端部には、屋根５０における例えば野地板に当接可能なフラップ１１がそれぞれ形成されると共に、各側板１２の上端部には、雨返し１３がそれぞれ形成されている。この場合、この換気装置１は、図５，６に示すように、ベース部５における各フラップ１１を屋根５０の野地板等に当接させた状態において、各フラップ１１の上に屋根板（外板）５２を被せるようにして屋根５０に固定される。さらに、各側板１２によって形成された角筒状部の内側には、ファン６，６を固定するためのファン取付け板１４が各側板１２とは別体に形成されて例えばリベット等によって側板１２に固定されて（取り付けられて）いる。なお、ファン取付け板１４を側板１２等と別体に形成して固定する構成に限定されず、例えば、側板１２の一部を折り曲げてファン取付け板１４に相当する部材を形成した構成（ファン取付け板を一体的に形成する構成の一例）を採用することもできる。
【００１７】
この場合、図５に示すように、ファン取付け板１４は、その長尺方向の中央部が上向きに突出するようにして側面視く字状に形成されて、両ファン６，６を取り付ける２つの取付け面（傾斜面）１４ａ，１４ａがフード部７に対してそれぞれ異なる向きに傾くようにして構成されている。また、図３に示すように、ファン取付け板１４の両取付け面１４ａ，１４ａには、ファン６，６の羽根車よりも僅かに大きい直径の孔１４ｂがそれぞれ形成されてファン６，６によってファン取付け板１４の裏面側の空気（通気孔５１内の空気）を吸引可能に構成されている。ファン６は、一例として、直流モータと羽根車とケーシングとが一体的に構成されて上記のファン取付け板１４の取付け面１４ａに固定されている。この場合、この換気装置１では、一例として２つのファン６，６（本発明におけるファンを複数備えた構成の一例）を備えて構成されている。
【００１８】
フード部７は、通気孔５１を介して建物内に雨水が浸入するのを阻止するための部材であって、ベース部５における上面開口部位を覆うようにして、その頂部が大地と平行となるように（頂部が水平となるように）ベース部５の上方に取り付けられている。なお、この換気装置１では、前述したように、両ファン６，６を取り付ける２つの取付け面１４ａ，１４ａがフード部７に対してそれぞれ異なる向きに傾くようにして構成されている。したがって、ファン取付け板１４（取付け面１４ａ，１４ａ）に取り付けられた状態のファン６，６は、フード部７の頂部、すなわち、大地（水平面）に対して傾いた状態となっている。
【００１９】
また、フード部７は、ベース部５と同様にして、一例として、ステンレススチール等の金属板で形成されている。また、フード部７は、図１，３に示すように、天板２１と、天板２１の四辺に設けられた４枚の側板２２とで全体として無底箱状に形成されている。さらに、図６に示すように、フード部７における側板２２の内側には、フード部７をベース部５に取り付けるためのステー３１が設けられている。また、フード部７における天板２１の外面には、太陽電池パネル８が固定されると共に、太陽電池パネル８の固定部位の近傍（一例として、天板２１における中央部）には、本発明における棒部材としての３本の鳥避け２３（一例として、ステンレススチール製の棒）が太陽電池パネル８よりも上方に突出するようにして立設されている。
【００２０】
太陽電池パネル８は、本発明における太陽光発電部に相当し、フード部７の天板２１に固定されて、太陽光等を受光したときに直流電圧Ｖｄ１（本発明における第１の直流電圧：図１参照）を出力する。制御部９は、後述するようにして操作部４から出力される操作信号Ｓに応じて換気装置１を動作させる旨が選択されているときに、図２に示すように、太陽電池パネル８から出力される直流電圧Ｖｄ１および後述するようにＡＣ／ＤＣコンバータ３から出力される直流電圧Ｖｄ２のいずれかを直流電圧Ｖｄ３としてファン６，６に供給してファン６，６を作動させる。具体的には、制御部９は、太陽電池パネル８から出力される直流電圧Ｖｄ１の電圧値を監視することにより、ファン６，６を動作させるのに十分な電圧値の直流電圧Ｖｄ１が太陽電池パネル８から出力されているとき（本発明における「規定された条件」の一例）には、太陽電池パネル８からの直流電圧Ｖｄ１を直流電圧Ｖｄ３として両ファン６，６に供給する。
【００２１】
また、ファン６，６を動作させるのに十分な電圧値の直流電圧Ｖｄ１が太陽電池パネル８から出力されていないとき（例えば、夜間、および曇天時や雨天時の日中等：本発明における「規定された条件」の他の一例）には、後述するようにして、ＡＣ／ＤＣコンバータ３を制御して商用交流の交流電圧Ｖａを直流電圧Ｖｄ２に変換させて出力させ、この直流電圧Ｖｄ２を直流電圧Ｖｄ３として両ファン６，６に供給する。なお、図３〜６では、本発明についての理解を容易とするために、ＡＣ／ＤＣコンバータ３と制御部９とを接続しているケーブル、操作部４と制御部９とを接続しているケーブル、ファン６と制御部９とを接続しているケーブル、および太陽電池パネル８と制御部９とを接続しているケーブル等の図示を省略している。
【００２２】
ＡＣ／ＤＣコンバータ３は、本発明における変換部に相当し、図２に示すように、一例として、建物内に設置されて商用交流に接続されている。このＡＣ／ＤＣコンバータ３は、上記の制御部９の制御に従い、交流電圧Ｖａを交流／直流変換して直流電圧Ｖｄ２（本発明における第２の直流電圧）を生成して出力する。操作部４は、換気装置１による換気動作の開始（オン操作）および停止（オフ操作）を指示する操作スイッチ（図示せず）を備えて建物内に設置され、スイッチ操作に応じた操作信号Ｓを制御部９に出力する。なお、操作部４は、オン操作およびオフ操作のいすれかを選択する構成に限定されず、ファン６，６の回転数（すなわち、換気装置１による換気能力）を多段階的にまたは無段階で調整可能なボリュームスイッチ等を配設して構成することもできる。
【００２３】
この換気装置１では、操作部４がオン操作されたときに、制御部９が操作部４からの操作信号Ｓに応じてファン６，６を作動させる。この際に、制御部９は、前述したように、太陽電池パネル８からの直流電圧Ｖｄ１が所定の電圧値に満たないと判別したときには、ＡＣ／ＤＣコンバータ３を制御して交流電圧Ｖａを直流電圧Ｖｄ２に変換させて出力させ、その直流電圧Ｖｄ２を直流電圧Ｖｄ３としてファン６，６に供給する。一方、太陽電池パネル８から出力される直流電圧Ｖｄ１の電圧値が所定の電圧値を超えていると判別したときには、太陽電池パネル８からの直流電圧Ｖｄ１を直流電圧Ｖｄ３として両ファン６，６に供給する。これにより、ファン６，６が作動して建物内の空気が通気孔５１を介して吸引される。
【００２４】
この場合、図５に示すように、この換気装置１では、ファン取付け板１４におけるファン６，６の取付け面１４ａ，１４ａがフード部７における天板２１の内面に対して傾いた状態（大地に対して傾いた状態）でベース部５に設けられている。これにより、この換気装置１では、両ファン６，６がフード部７における天板２１の内面に対して斜めの向きで、かつ互いに相違する向きで（具体的には離反する向きで）空気を吹き付け可能に、ベース部５の取付け板１４の取付け面１４ａ，１４ａに固定された状態となっている。
【００２５】
したがって、通気孔５１を介して矢印Ｃの向きで吸引された空気は、両ファン６，６によって矢印Ｄ１，Ｄ２の向きで天板２１に対して斜めの向きで吹き付けられる。つまり、同図において、一方（左側）のファン６によって送風された空気はフード部７における天板２１の長尺方向の一方（左側）の端部に向けて吹き付けられ、他方（右側）のファン６によって送風された空気はフード部７における天板２１の長尺方向の他方（右側）の端部に向けて吹き付けられる。この結果、天板２１の内面に当接した空気は、乱流を生じさせることなく、天板２１の外縁部に向けて天板２１に沿ってスムーズに移動して、ベース部５の上端部（各側板１２の上端部）とフード部７との間の隙間Ｇ１，Ｇ１から屋外に排出される。
【００２６】
なお、図５に示すように、両ファン６，６によってフード部７（天板２１）に向けて吹き付けられた空気の大半は、上記のように、換気装置１における長尺方向（同図における左右方向）の両端部側の隙間Ｇ１，Ｇ１から矢印Ｅ１，Ｅ１で示すように屋外に排出されるが、図６に示すように、両ファン６，６によってフード部７（天板２１）に向けて吹き付けられた空気の他の一部は、換気装置１における短尺方向（同図における左右方向）の両端部側の隙間Ｇ２，Ｇ２から矢印Ｅ２，Ｅ２で示すように屋外に排出される。この後、制御部９は、操作部４がオフ操作されるまでファン６，６に対して直流電圧Ｖｄ３の供給してファン６，６を作動させた状態を維持する。
【００２７】
一方、例えば天候が変化して太陽電池パネル８からの直流電圧Ｖｄ１の電圧値が所定の電圧値を下回ったときには、制御部９は、太陽電池パネル８からの直流電圧Ｖｄ１に代えてＡＣ／ＤＣコンバータ３によって生成された直流電圧Ｖｄ２を直流電圧Ｖｄ３としてファン６，６に供給する。これにより、夜間、および雨天時や曇天時における日中においても、ファン６，６を作動させて建物内の空気を屋外に排出することが可能となっている。さらに、この換気装置１では、図５，６に示すように、フード部７の中央部（太陽電池パネル８の取付部位の近傍）に鳥避け２３が立設されている。これにより、飛来した鳥が換気装置１の上に留まろうとしても、鳥避け２３が鳥の翼に当たって留まるのを阻止するため、鳥の糞によって太陽電池パネル８の表面が汚される事態が回避される。これにより、太陽電池パネル８の発電能力を良好な状態に維持することが可能となっている。
【００２８】
この換気装置１では、上記のように、ファン６，６からの空気がフード部７における天板２１の内面に対して斜めの向きで吹き付けられるように構成したことで、ファン６，６からの空気が天板２１の内面に対して垂直に吹き付けられる構成の換気装置と比較して、その送風能力が十分に向上している。具体的には、図７に示すように、上記の換気装置１と、換気装置１におけるファン６，６をそれぞれ真上に向けて固定した換気装置（従来の換気装置のように、両ファン６，６からの空気が天板２１の内面に対して同じ向きで垂直に吹き付けられる構成の換気装置：以下、「従来の換気装置」ともいう」：図示せず）とを用いて、ファン取付け板１４の両孔１４ｂ，１４ｂを全閉状態から全開状態まで、その開口率を徐々に上げて両者の換気能力（送風能力）の差異を調べた。
【００２９】
その結果、換気装置１の送風能力の方が、同図に実線で示すように、同図に破線で示す従来の換気装置よりも十分に向上しているのが確認された。なお、同図では、風量が「０ｍ３／ｍｉｎ」の部位が孔１４ｂ，１４ｂを全閉にした状態を示し、静圧が「０．０００ｋｇｆ／ｍ２」の部位が孔１４ｂ，１４ｂを全開にした状態を示している。同図に示すように、両孔１４ｂ，１４ｂを全閉にした状態、および両孔１４ｂ，１４ｂの開口率が小さい状態（高負荷状態）においては、ファン６，６の取り付け方に拘わらず、換気装置１および従来の換気装置の換気能力（送風能力）の差異は、ほぼ同様となっている。しかし、両孔１４ｂ，１４ｂの開口率が大きい状態、および両孔１４ｂ，１４ｂを全開にした状態（低負荷状態：通常の使用状態）においては、同図に示すように、従来の換気装置よりも換気装置１の換気能力（送風能力）の方が十分に高い（所定の静圧が生じる状態での風量が大きい）のが理解できる。
【００３０】
このように、この換気装置１では、ファン６，６の取付け面１４ａ，１４ａがフード部７における天板２１の内面に対して傾いた状態でファン取付け板１４がベース部５に設けられ、天板２１の内面に対して斜めの向きで空気を吹き付けて内面に沿わせて移動させて隙間Ｇ１，Ｇ２から排出可能にファン６，６がファン取付け板１４の取付け面１４ａ，１４ａに取り付けられている。したがって、この換気装置１によれば、天板２１の内面に対して吹き付けられた空気が天板２１に沿ってスムーズに移動する結果、空気の流動抵抗が十分に小さくなることに起因して、換気装置１内において空気をベース部５とフード部７との間の隙間Ｇ１，Ｇ２からスムーズに移動させて排出することができる結果、その換気能力を十分に向上させることができる。
【００３１】
また、この換気装置１では、その長尺方向の中央部が上向きに突出するようにして２つの傾斜面によって側面視く字状にファン取付け板１４が形成され、２つの傾斜面によって取付け面１４ａが２面形成され、ファン６が各傾斜面にそれぞれ１つずつ取り付けられている。したがって、この換気装置１によれば、両ファン６，６によって吹き付けられる空気が干渉し合って乱流が生じる事態を回避することができるため、空気の流動抵抗が一層小さくなることに起因して、その換気能力を一層向上させることができる。
【００３２】
さらに、この換気装置１では、制御部９が、太陽電池パネル８（太陽光発電部）から出力された直流電圧Ｖｄ１（第１の直流電圧）およびＡＣ／ＤＣコンバータ３（変換部）から出力された直流電圧Ｖｄ２（第２の直流電圧）のいずれかを予め規定された条件に従ってファン６，６に供給してファン６，６を作動させる。したがって、この換気装置１によれば、例えば晴天時における日中においては、商用交流を消費することなく、ファン６，６を作動させることができるため、換気装置１のランニングコストを十分に低減することができる。また、夜間、および雨天時や曇天時における日中などにおいては、ＡＣ／ＤＣコンバータ３によって交流電圧Ｖａを直流電圧Ｖｄ２に変換して直流電圧Ｖｄ３としてファン６，６に供給することで、太陽電池パネル８による直流電圧Ｖｄ１が所定の電圧値に満たない状態においても換気装置１を確実に作動させて換気することができる。
【００３３】
また、この換気装置１では、フード部７に太陽電池パネル８（太陽光発電部）が取り付けられると共に、鳥避け２３（棒部材）がフード部７における太陽電池パネル８の取り付け部位の近傍に立設されている。したがって、この換気装置１によれば、飛来した鳥が換気装置１の上（太陽電池パネル８の近傍）に留まる事態を阻止することができるため、鳥の糞によって太陽電池パネル８が汚されてその発電能力が低下する事態を回避することができる。
【００３４】
なお、本発明は、上記の構成に限定されない。例えば、２つのファン６，６を備えた換気装置１について説明したが、単一のファン６を備えた構成を採用することもできる。このような構成においても、上記の換気装置１と同様にして、フード部７の天板２１に対して斜めの向きで空気を吹き付け可能にファン取付け板１４をフード部７の天板２１に対して傾いた状態でベース部５に設けてファン６を固定することで、吹き付けられた空気が天板２１に沿ってスムーズに移動する結果、その換気能力を十分に向上させることができる。また、３つ以上のファン６を備えた構成を採用することもできる。このような構成においても、上記の換気装置１と同様にして、各ファンがフード部７における天板２１の内面に対して斜めの向きで、かつ互いに相違する向き（具体的には離反する向き）で空気を吹き付け可能にベース部５の取付け板１４の取付け面１４ａ，１４ａに固定することで、各ファン６から吹き付けられる空気が干渉し合う事態を回避することができる結果、その換気能力を十分に向上させることができる。
【００３５】
また、太陽電池パネル８をフード部７の天板２１に固定した換気装置１について説明したが、本発明はこれに限定されず、換気装置１の本体部２とは別個に太陽電池パネル８を建物の屋根５０に取り付け可能に構成することができる。さらに、ベース部５およびフード部７を別体に構成して一体化した換気装置１について説明したが、例えば、１枚の鉄板（ステンレス板等）を折り曲げてベース部５およびフード部７を一体的に形成する構成を採用することもできる。
【図面の簡単な説明】
【００３６】
【図１】屋根５０に取り付けられた状態の換気装置１の外観斜視図である。
【図２】換気装置１の構成を示すブロック図である。
【図３】換気装置１の構成を示す分解斜視図である。
【図４】フード部７を取り外した状態の換気装置１（ベース部５）を上方から見た平面図である。
【図５】図４におけるＡ−Ａ線断面図である。
【図６】図４におけるＢ−Ｂ線断面図である。
【図７】ファン６，６を同じ方向に向けて固定した換気装置、および本発明の実施の形態に係る換気装置１における静圧と風量との関係の相違について説明するための説明図である。
【符号の説明】
【００３７】
１  換気装置
２  本体部
３  ＡＣ／ＤＣコンバータ
４  操作部
５  ベース部
６  ファン
７  フード部
８  太陽電池パネル
９  制御部
１４  ファン取付け板
１４ａ  取付け面
２３  鳥避け
５０  屋根
５１  通気孔
Ｇ１，Ｇ２  隙間
Ｖａ  交流電圧  
Ｖｄ１〜Ｖｄ３  直流電圧
【図１】
2008224054.tif 000003
【図２】
2008224054.tif 000004
【図３】
2008224054.tif 000005
【図４】
2008224054.tif 000006
【図５】
2008224054.tif 000007
【図６】
2008224054.tif 000008
【図７】
2008224054.tif 000009